(57)【要約】【課題】鉄筋トラスを金属デッキの上面に強固に固定することができ、十分な強度を有するスラブを構築することができるデッキプレート構造物を提供する。【解決手段】デッキプレート構造物１０Ａは、鉄筋トラス１２のラチス筋２６ａ，２６ｂの上端凸部２７が上端筋２４に溶接され、ラチス筋２６ａ，２６ｂの中間部２８が下端筋２５ａ，２５ｂに溶接され、固定筋１３がラチス筋２６ａ，２６ｂの下端凹部２９の上方へ凸となる押さえ凸部３１と押さえ凸部３１を除いた残余部３２とを有し、押さえ凸部３１がラチス筋２６ａ，２６ｂの下端凹部２９に配置され、残余部３２が金属デッキ１１の溶接凸部１８ａ，１８ｂに溶接され、ラチス筋２６ａ，２６ｂの下端凹部２９が金属デッキ１１と押さえ凸部３１とに挟まれ、鉄筋トラス１２が金属デッキ１１の上面１６に強固に固定されている。【選択図】図１
2015031137.tif 000002
【特許請求の範囲】
【請求項１】
所定面積のスラブを構築するためのデッキプレート構造物において、
前記デッキプレート構造物が、前後方向へ延びる両側縁部および横方向へ延びる両端縁部を有する所定面積の金属デッキと、前記金属デッキの上面に設置されて前後方向へ延びる鉄筋トラスと、前記金属デッキの上面に位置して横方向へ延びていて前後方向へ所定寸法離間して並ぶ固定筋とを備え、
前記金属デッキが、その上面から上方へ凸となって前後方向へ延びていて横方向へ所定寸法離間して並ぶ溶接凸部を有し、前記鉄筋トラスが、横方向へ並ぶ一対の前記溶接凸部の間であって前記金属デッキの上面から上方に位置して前後方向へ延びる上端筋と、前記一対の溶接凸部の間であって前記金属デッキと前記上端筋との間に位置して前後方向へ延びる一対の下端筋と、前記一対の溶接凸部の間であって前記金属デッキと前記上端筋との間で上下方向へ波状に起伏を繰り返しながら前後方向へ延びる一対のラチス筋とから形成され、
それらラチス筋が、前記上端筋に当接して凸状に折れ曲がる上端凸部から前記金属デッキの上面に当接して凹状に折れ曲がる下端凹部に向かって横方向外方へ末広がりになり、それらラチス筋の上端凸部が、前記上端筋に溶接され、それらラチス筋の中間部が、前記下端筋に溶接され、前記固定筋が、それらラチス筋の下端凹部の上方へ凸となる押さえ凸部と前記押さえ凸部を除いた残余部とを有し、前記固定筋の押さえ凸部が、それらラチス筋の下端凹部に配置され、前記固定筋の残余部が、前記金属デッキの溶接凸部に配置されて該溶接凸部に溶接され、それらラチス筋の下端凹部が、前記金属デッキの上面と前記押さえ凸部とに挟まれていることを特徴とするデッキプレート構造物。
【請求項２】
前記ラチス筋が、断面円形の金属棒から作られ、前記ラチス筋の直径が、前記溶接凸部の前記金属デッキの上面からの高さ寸法と略同一またはわずかに大きく、前記デッキプレート構造物では、前記固定筋を前記溶接凸部と前記下端凹部とに配置したときに、前記固定筋の残余部が前記溶接凸部の頂部分に当接する請求項１に記載のデッキプレート構造物。
【請求項３】
前記固定筋が、断面円形の金属棒から作られ、前記デッキプレート構造物では、前記固定筋を前記溶接凸部と前記下端凹部とに配置したときに、前記固定筋の押さえ凸部が前記ラチス筋の下端凹部において前後方向前方と後方とのいずれか一方に傾倒しつつ前記下端凹部に当接する請求項１または請求項２に記載のデッキプレート構造物。
【請求項４】
前記固定筋の押さえ凸部が、上方へ延びる一対の起立部分と、それら起立部分の間に延びていてそれらラチス筋の下端凹部に跨る水平部分とを有し、前記デッキプレート構造物では、前記固定筋を前記溶接凸部と前記下端凹部とに配置したときに、前記起立部分と前記水平部分とが前記ラチス筋の下端凹部において前後方向前方と後方とのいずれか一方に傾倒し、前記水平部分が前記ラチス筋の下端凹部に当接する請求項３に記載のデッキプレート構造物。
【請求項５】
前記デッキプレート構造物では、前記固定筋を前記溶接凸部と前記下端凹部とに配置したときに、前記固定筋の押さえ凸部が前記ラチス筋の下端凹部に位置するように該下端凹部が略Ｖ字状に折り曲げられている請求項３または請求項４に記載のデッキプレート構造物。
【請求項６】
前記固定筋が、断面円形の金属棒から作られ、前記デッキプレート構造物では、前記固定筋を前記溶接凸部と前記下端凹部とに配置したときに、前記固定筋が前記ラチス筋の下端凹部に位置するように該押さえ凸部が略逆Ｖ字状に折り曲げられているとともに該下端凹部が略Ｖ字状に折り曲げられ、略逆Ｖ字状に折り曲げられた前記押さえ凸部が略Ｖ字状に折り曲げられた前記下端凹部において前後方向前方と後方とのいずれか一方に傾倒しつつ該下端凹部に当接する請求項１または請求項２に記載のデッキプレート構造物。
【請求項７】
それら下端筋が、それらラチス筋の外側に位置するとともに、前記一対の溶接凸部の内側に位置し、一方のラチス筋の下端凹部が、前記一対の溶接凸部のうちの一方の溶接凸部の内側に位置し、他方のラチス筋の下端凹部が、前記一対の溶接凸部のうちの他方の溶接凸部の内側に位置し、前記固定筋の残余部と前記溶接凸部とが、スポット溶接によって溶着されている請求項１ないし請求項６いずれかに記載のデッキプレート構造物。
【請求項８】
前記一対の溶接凸部のうちの一方の溶接凸部が、一方のラチス筋の下端凹部の横方向外方であって該下端凹部の直近に隣接し、前記一対の溶接凸部のうちの他方の溶接凸部が、他方のラチス筋の下端凹部の横方向外方であって該下端凹部の直近に隣接している請求項７に記載のデッキプレート構造物。
【請求項９】
前記金属デッキの一方の側縁部が、該デッキの下方へ折り曲げられて第１係合部を形成し、前記金属デッキの他方の側縁部が、該デッキの上方へ折り曲げられて前記第１係合部と係合する第２係合部を形成し、前記金属デッキの他方の側縁部であって前記第２係合部近傍に延びる前記固定筋の残余部が、前記溶接凸部から前記金属デッキの上面に向かって下方へ折り曲げられている請求項１ないし請求項８いずれかに記載のデッキプレート構造物。
【請求項１０】
前記デッキプレート構造物では、それら鉄筋トラスどうしが横方向へ所定寸法離間して並び、横方向へ隣接する鉄筋トラスの間であって前記押さえ凸部の間に延びる残余部に前後方向へ延びるボイドが設置されている請求項１ないし請求項９いずれかに記載のデッキプレート構造物。
【発明の詳細な説明】
【技術分野】
【０００１】
本発明は、鉄骨建造物や鉄筋コンクリート建造物のスラブを構築するために使用するデッキプレート構造物に関する。
【背景技術】
【０００２】
メッキ処理が施された所定面積の鉄板と、鉄板の上面に設置された複数の鉄筋トラスとから形成され、横梁の間に架け渡し、普通コンクリートや軽量コンクリートを打設して鉄骨建造物や鉄筋コンクリート建造物のスラブを構築するデッキプレート構造物が開示されている（特許文献１参照）。鉄筋トラスは、鉄板の上面から上方へ離間して縦方向へ延びる上端筋と、鉄板と上端筋との間に位置して縦方向へ延びる下端筋と、鉄板と上端筋との間で上下方向へ波状に起伏を繰り返しながら前後方向へ延びるラチス筋とから形成されている。
【０００３】
このデッキプレート構造物では、ラチス筋の上端部が上端筋に当接した状態で上端筋にスポット溶接され、ラチス筋の中間部が下端筋に当接した状態で下端筋にスポット溶接されている。ラチス筋の下端部は、鉄板の上面と並行するように横方向外方へ屈曲しつつ、鉄板にスポット溶接されている。
【先行技術文献】
【特許文献】
【０００４】
【特許文献１】特開２００７−１７０１６１号公報
【発明の概要】
【発明が解決しようとする課題】
【０００５】
前記公報に開示のデッキプレート構造物において、ラチス筋の下端部を鉄板にスポット溶接するには、電極と移動機構とを備えた自動溶接機が使用される。自動溶接機による溶接の一例としては、ラチス筋の下端部の上方に電極が位置するとともに、鉄板の下面の下方に電極が位置し、ラチス筋の下端部の上に向かって電極が下降し、鉄板の下面に向かって電極が上昇し、それら電極によってラチス筋の下端部と鉄板とを押圧しつつ下端部と鉄板とを挟み込むと同時に、それら電極に所定の電流が流れる。電極から流れた電流によってラチス筋の下端部と鉄板とが瞬時に溶融し、それらが溶着する。
【０００６】
このデッキプレート構造物では、ラチス筋の下端部と鉄板との溶接がデッキプレート構造物の前後方向前方から後方へ向かって随時進行するが、ラチス筋および鉄板が電極によって押圧されつつ溶接されるから、溶接後のラチス筋が鉄板の上面に向かって歪み込み、それによって溶接後のラチス筋の後方に位置する溶接前のラチス筋の下端部が鉄板の上面から浮き上がる場合があり、後に溶接されるラチス筋の下端部が鉄板から上方へ離間し、ラチス筋の下端部を鉄板に十分に溶着させることができず、未溶接または溶接不足によって鉄筋トラスと鉄板との固定が不用意に解除されてしまう場合がある。
【０００７】
鉄筋トラス（ラチス筋の下端部）と鉄板との固定が解除されると、デッキプレート構造物にコンクリートを打設したとしても、コンクリートと鉄板および鉄筋トラスとが鉄筋コンクリート構造を形成することができず、コンクリートに曲げ引張力や曲げ圧縮力、せん断力が作用したときに、それらの力によってコンクリートにクラックが発生する場合があり、強度が不足したスラブが構築されてしまう場合がある。
【０００８】
また、ラチス筋の下端部を鉄板の上面に直接溶接すると、溶接時の熱の作用で、鉄板の上面のみならず、鉄板の下面にも溶接による痕が生じてしまう。鉄板の下面に生じた溶接痕は、デッキプレート構造物の美観を損なうどころか、防食のために施されたメッキを消失させて鉄を露出させるから、湿気や結露によって溶接痕に錆が発生する場合がある。
【０００９】
本発明の目的は、鉄筋トラスを形成するラチス筋を金属デッキの上面に強固に固定することができ、十分な強度を有するスラブを構築することができるデッキプレート構造物を提供することにある。本発明の他の目的は、金属デッキの下面に溶接跡が生じることがなく、金属デッキの下面における錆の発生を防ぐことができるデッキプレート構造物を提供することにある。
【課題を解決するための手段】
【００１０】
前記課題を解決するための本発明の前提は、所定面積のスラブを構築するためのデッキプレート構造物である。
【００１１】
前記前提における本発明の特徴は、デッキプレート構造物が、前後方向へ延びる両側縁部および横方向へ延びる両端縁部を有する所定面積の金属デッキと、金属デッキの上面に設置されて前後方向へ延びる鉄筋トラスと、金属デッキの上面に位置して横方向へ延びていて前後方向へ所定寸法離間して並ぶ固定筋とを備え、金属デッキが、その上面から上方へ凸となって前後方向へ延びていて横方向へ所定寸法離間して並ぶ溶接凸部を有し、鉄筋トラスが、横方向へ並ぶ一対の溶接凸部の間であって金属デッキの上面から上方に位置して前後方向へ延びる上端筋と、一対の溶接凸部の間であって金属デッキと上端筋との間に位置して前後方向へ延びる一対の下端筋と、一対の溶接凸部の間であって金属デッキと上端筋との間で上下方向へ波状に起伏を繰り返しながら前後方向へ延びる一対のラチス筋とから形成され、それらラチス筋が、上端筋に当接して凸状に折れ曲がる上端凸部から金属デッキの上面に当接して凹状に折れ曲がる下端凹部に向かって横方向外方へ末広がりになり、それらラチス筋の上端凸部が、上端筋に溶接され、それらラチス筋の中間部が、下端筋に溶接され、固定筋が、それらラチス筋の下端凹部の上方へ凸となる押さえ凸部と押さえ凸部を除いた残余部とを有し、固定筋の押さえ凸部が、それらラチス筋の下端凹部に配置され、固定筋の残余部が、金属デッキの溶接凸部に配置されて溶接凸部に溶接され、それらラチス筋の下端凹部が、金属デッキの上面と押さえ凸部とに挟まれていることにある。
【００１２】
本発明にかかるデッキプレート構造物の一例としては、ラチス筋が断面円形の金属棒から作られ、ラチス筋の直径が溶接凸部の金属デッキの上面からの高さ寸法と略同一またはわずかに大きく、デッキプレート構造物では、固定筋を溶接凸部と下端凹部とに配置したときに、固定筋の残余部が溶接凸部の頂部分に当接する。
【００１３】
本発明にかかるデッキプレート構造物の他の一例としては、固定筋が断面円形の金属棒から作られ、デッキプレート構造物では、固定筋を溶接凸部と下端凹部とに配置したときに、固定筋の押さえ凸部がラチス筋の下端凹部において前後方向前方と後方とのいずれか一方に傾倒しつつ下端凹部に当接する。
【００１４】
本発明にかかるデッキプレート構造物の他の一例としては、固定筋の押さえ凸部が、上方へ延びる一対の起立部分と、それら起立部分の間に延びていてそれらラチス筋の下端凹部に跨る水平部分とを有し、デッキプレート構造物では、固定筋を溶接凸部と下端凹部とに配置したときに、起立部分と水平部分とがラチス筋の下端凹部において前後方向前方と後方とのいずれか一方に傾倒し、水平部分がラチス筋の下端凹部に当接する。
【００１５】
本発明にかかるデッキプレート構造物の他の一例として、デッキプレート構造物では、固定筋を溶接凸部と下端凹部とに配置したときに、固定筋の押さえ凸部がラチス筋の下端凹部に位置するように下端凹部が略Ｖ字状に折り曲げられている。
【００１６】
本発明にかかるデッキプレート構造物の他の一例としては、固定筋が断面円形の金属棒から作られ、デッキプレート構造物では、固定筋を溶接凸部と下端凹部とに配置したときに、固定筋がラチス筋の下端凹部に位置するように押さえ凸部が略逆Ｖ字状に折り曲げられているとともに下端凹部が略Ｖ字状に折り曲げられ、略逆Ｖ字状に折り曲げられた押さえ凸部が略Ｖ字状に折り曲げられた下端凹部において前後方向前方と後方とのいずれか一方に傾倒しつつ下端凹部に当接する。
【００１７】
本発明にかかるデッキプレート構造物の他の一例としては、それら下端筋がそれらラチス筋の外側に位置するとともに一対の溶接凸部の内側に位置し、一方のラチス筋の下端凹部が一対の溶接凸部のうちの一方の溶接凸部の内側に位置し、他方のラチス筋の下端凹部が一対の溶接凸部のうちの他方の溶接凸部の内側に位置し、固定筋の残余部と溶接凸部とがスポット溶接によって溶着されている。
【００１８】
本発明にかかるデッキプレート構造物の他の一例としては、一対の溶接凸部のうちの一方の溶接凸部が一方のラチス筋の下端凹部の横方向外方であって下端凹部の直近に隣接し、一対の溶接凸部のうちの他方の溶接凸部が他方のラチス筋の下端凹部の横方向外方であって下端凹部の直近に隣接している。
【００１９】
本発明にかかるデッキプレート構造物の他の一例としては、金属デッキの一方の側縁部がデッキの下方へ折り曲げられて第１係合部を形成し、金属デッキの他方の側縁部がデッキの上方へ折り曲げられて第１係合部と係合する第２係合部を形成し、金属デッキの他方の側縁部であって第２係合部近傍に延びる固定筋の残余部が溶接凸部から金属デッキの上面に向かって下方へ折り曲げられている。
【００２０】
本発明にかかるデッキプレート構造物の他の一例として、デッキプレート構造物では、それら鉄筋トラスどうしが横方向へ所定寸法離間して並び、横方向へ隣接する鉄筋トラスの間であって押さえ凸部の間に延びる残余部に前後方向へ延びるボイドが設置されている。
【発明の効果】
【００２１】
本発明にかかるデッキプレート構造物によれば、固定筋の押さえ凸部がそれらラチス筋の下端凹部に配置され、固定筋の残余部が金属デッキに作られた溶接凸部に溶接され、それらラチス筋の下端凹部が金属デッキの上面と押さえ凸部とに挟まれ、それによって鉄筋トラスを形成するラチス筋が金属デッキの上面に固定されるから、鉄筋トラスを金属デッキの上面に強固に固定することができ、鉄筋トラスと金属デッキとの固定が不用意に解除されることはない。デッキプレート構造物は、それにコンクリートが打設されたときに、コンクリートと金属デッキや鉄筋トラス、固定筋とが鉄筋コンクリート構造を形成し、コンクリートに曲げ引張力や曲げ圧縮力、せん断力が作用したとしても、それらの力によってコンクリートにクラックが発生することはなく、デッキプレート構造物を利用して十分な強度を有するスラブを構築することができる。デッキプレート構造物は、固定筋の残余部が金属デッキに作られた凸部に溶接され、ラチス筋の下端凹部が金属デッキの上面に当接するだけであり、下端凹部が金属デッキに溶接されることはないから、美観を損なうことがないことはもちろん、金属デッキの下面に溶接跡が生じることはなく、金属デッキの下面における錆の発生を防ぐことができる。
【００２２】
ラチス筋が断面円形の金属棒から作られ、ラチス筋の直径が溶接凸部の金属デッキの上面からの高さ寸法と略同一またはわずかに大きく、固定筋を溶接凸部と下端凹部とに配置したときに、固定筋の残余部が溶接凸部の頂部分に当接するデッキプレート構造物は、固定筋の残余部が溶接凸部の頂部分に必ず当接するから、残余部を溶接凸部の頂部分に確実に溶接固定することができ、それらラチス筋の下端凹部が金属デッキの上面と固定筋の押さえ凸部とに挟まれることによって鉄筋トラスを形成するラチス筋が金属デッキの上面に固定され、鉄筋トラスを金属デッキの上面に強固に固定することができる。デッキプレート構造物は、鉄筋トラスと金属デッキとの固定が不用意に解除されることはなく、デッキプレート構造物に打設されたコンクリートが上下端筋やラチス筋、固定筋によって確実に補強され、コンクリートと金属デッキや鉄筋トラス、固定筋とが鉄筋コンクリート構造を形成し、コンクリートに曲げ引張力や曲げ圧縮力、せん断力が作用したとしても、それらの力によってコンクリートにクラックが発生することはなく、デッキプレート構造物を利用して十分な強度を有するスラブを構築することができる。
【００２３】
固定筋が断面円形の金属棒から作られ、固定筋を溶接凸部と下端凹部とに配置したときに、固定筋の押さえ凸部がラチス筋の下端凹部において前後方向前方と後方とのいずれか一方に傾倒しつつ下端凹部に当接するデッキプレート構造物は、固定筋の押さえ凸部がラチス筋の下端凹部において前後方向前方と後方とのいずれか一方に傾倒することで、押さえ凸部が下端凹部に必ず当接するから、固定筋の残余部を溶接凸部に溶接固定したときに、押さえ凸部によってそれらラチス筋の下端凹部が強固に固定され、ラチス筋の金属デッキにおける不用意な遊動を防ぐことができ、鉄筋トラスを金属デッキの上面に確実に固定することができる。デッキプレート構造物は、鉄筋トラスと金属デッキとの固定が不用意に解除されることはなく、デッキプレート構造物に打設されたコンクリートが上下端筋やラチス筋、固定筋によって確実に補強され、コンクリートと金属デッキや鉄筋トラス、固定筋とが鉄筋コンクリート構造を形成し、コンクリートに曲げ引張力や曲げ圧縮力、せん断力が作用したとしても、それらの力によってコンクリートにクラックが発生することはなく、デッキプレート構造物を利用して十分な強度を有するスラブを構築することができる。
【００２４】
固定筋の押さえ凸部が上方へ延びる一対の起立部分とそれら起立部分の間に延びていてそれらラチス筋の下端凹部に跨る水平部分とを有し、固定筋を溶接凸部と下端凹部とに配置したときに、起立部分と水平部分とがラチス筋の下端凹部において前後方向前方と後方とのいずれか一方に傾倒し、水平部分がラチス筋の下端凹部に当接するデッキプレート構造物は、押さえ凸部の起立部分と水平部分とがラチス筋の下端凹部において前後方向前方と後方とのいずれか一方に傾倒することで、押さえ凸部の水平部分が下端凹部に必ず当接するから、固定筋の残余部を溶接凸部に溶接固定したときに、押さえ凸部の水平部分によってそれらラチス筋の下端凹部が強固に固定され、ラチス筋の金属デッキにおける不用意な遊動を防ぐことができ、鉄筋トラスを金属デッキの上面に確実に固定することができる。
【００２５】
固定筋を溶接凸部と下端凹部とに配置したときに、固定筋の押さえ凸部がラチス筋の下端凹部に位置するように下端凹部が略Ｖ字状に折り曲げられているデッキプレート構造物は、ラチス筋の下端凹部を略Ｖ字状に折り曲げることで、固定筋の押さえ凸部をラチス筋の下端凹部に配置したときに、押さえ凸部がラチス筋の下端凹部において前後方向前方と後方とのいずれか一方に傾倒しつつ押さえ凸部が下端凹部に位置決めされるから、固定筋の前後方向や横方向のずれ動きを防ぐことができ、固定筋の残余部を溶接凸部に確実に溶接固定することができる。デッキプレート構造物は、固定筋の残余部を溶接凸部に確実に溶接固定することができるから、それらラチス筋の下端凹部が金属デッキの上面と固定筋の押さえ凸部とに挟まれ、鉄筋トラスを形成するラチス筋を金属デッキの上面に強固に固定することができ、鉄筋トラスを金属デッキの上面に確実に固定することができる。
【００２６】
固定筋が断面円形の金属棒から作られ、固定筋を溶接凸部と下端凹部とに配置したときに、固定筋がラチス筋の下端凹部に位置するように押さえ凸部が略逆Ｖ字状に折り曲げられているとともに下端凹部が略Ｖ字状に折り曲げられ、略逆Ｖ字状に折り曲げられた押さえ凸部が略Ｖ字状に折り曲げられた下端凹部において前後方向前方と後方とのいずれか一方に傾倒しつつ下端凹部に当接するデッキプレート構造物は、固定筋の略逆Ｖ字状に折り曲げられた押さえ凸部がラチス筋の略Ｖ字状に折り曲げられた下端凹部において前後方向前方と後方とのいずれか一方に傾倒することで、押さえ凸部が下端凹部に必ず当接するから、固定筋の残余部を溶接凸部に溶接固定したときに、押さえ凸部によってそれらラチス筋の下端凹部が強固に固定され、ラチス筋の金属デッキにおける不用意な遊動を防ぐことができ、鉄筋トラスを金属デッキの上面に確実に固定することができる。デッキプレート構造物は、鉄筋トラスと金属デッキとの固定が不用意に解除されることはなく、デッキプレート構造物に打設されたコンクリートが上下端筋やラチス筋、固定筋によって確実に補強され、コンクリートと金属デッキや鉄筋トラス、固定筋とが鉄筋コンクリート構造を形成し、コンクリートに曲げ引張力や曲げ圧縮力、せん断力が作用したとしても、それらの力によってコンクリートにクラックが発生することはなく、デッキプレート構造物を利用して十分な強度を有するスラブを構築することができる。
【００２７】
それら下端筋がラチス筋の外側に位置するとともに一対の溶接凸部の内側に位置し、一方のラチス筋の下端凹部が一対の溶接凸部のうちの一方の溶接凸部の内側に位置し、他方のラチス筋の下端凹部が一対の溶接凸部のうちの他方の溶接凸部の内側に位置し、固定筋の残余部と溶接凸部とがスポット溶接によって溶着されているデッキプレート構造物は、固定筋の残余部と溶接凸部とのスポット溶接において、固定筋の上方と溶接凸部の下方とに電極を配置し、それら電極で押させ筋の残余部および溶接凸部を挟み込んで溶接するが、それら下端筋が溶接凸部の内側に位置しているから、下端筋が電極の邪魔になることはなく、それら電極による押させ筋と溶接凸部との溶接が容易であり、それら電極によって固定筋の残余部と溶接凸部とを確実に溶接固定することができる。デッキプレート構造物は、固定筋の残余部を溶接凸部に確実に溶接固定することができるから、それらラチス筋の下端凹部が金属デッキの上面と固定筋の押さえ凸部とに挟まれ、鉄筋トラスを形成するラチス筋が金属デッキの上面に強固に固定することができ、鉄筋トラスを金属デッキの上面に確実に固定することができる。
【００２８】
一対の溶接凸部のうちの一方の溶接凸部が一方のラチス筋の下端凹部の横方向外方であって下端凹部の直近に隣接し、一対の溶接凸部のうちの他方の溶接凸部が他方のラチス筋の下端凹部の横方向外方であって下端凹部の直近に隣接しているデッキプレート構造物は、固定筋の残余部をラチス筋の下端凹部の直近に隣接する溶接凸部に溶接固定することで、一対の溶接凸部の間に延びる固定筋の横方向の寸法を最小限にすることができ、それらラチス筋の下端凹部が押さえ凸部によって金属デッキの上面に緩みなくしっかりと固定され、鉄筋トラスを金属デッキの上面に緩みなくしっかりと固定することができる。
【００２９】
金属デッキの一方の側縁部が下方へ折り曲げられて第１係合部を形成し、金属デッキの他方の側縁部が上方へ折り曲げられて第１係合部と係合する第２係合部を形成し、金属デッキの他方の側縁部であって第２係合部近傍に延びる固定筋の残余部が溶接凸部から金属デッキの上面に向かって下方へ折り曲げられているデッキプレート構造物は、第２係合部近傍に延びる固定筋の残余部が金属デッキの上面に向かって折り曲げられておらず、直状に延びている場合、金属デッキの第１係合部を第２係合部に係合させるときに、固定筋の残余部がそれら係合部の係合の邪魔になり、それら係合部をスムースに係合させることができないが、第２係合部近傍に延びる固定筋の残余部が金属デッキの上面に向かって下方へ折り曲げられているから、固定筋の残余部がそれら係合部の係合の邪魔になることはなく、それら係合部をスムースに係合させることができ、複数のデッキプレート構造物を横方向へ繋げて所定面積のデッキプレート構造物の集合体を容易に作ることができる。
【００３０】
それら鉄筋トラスどうしが横方向へ所定寸法離間して並び、横方向へ隣接する鉄筋トラスの間であって押さえ凸部の間に延びる残余部に前後方向へ延びるボイドが設置されているデッキプレート構造物は、コンクリートの替わりとしてボイドが利用され、デッキプレート構造物の全域にコンクリートを打設する必要はなく、ボイドの体積分のコンクリートを省くことができるから、その分の手間と時間とを短縮することができるとともに、スラブ構築のコストを下げることができる。デッキプレート構造物は、それにコンクリートのみを打設する場合と比較し、ボイドの体積分のコンクリートを省くことができるから、スラブの軽量化を図ることができ、鉄骨建造物や鉄筋コンクリート建造物にかかる荷重を低減することができる。
【図面の簡単な説明】
【００３１】
【図１】一例として示すデッキプレート構造物の斜視図。
【図２】デッキプレート構造物の上面図。
【図３】デッキプレート構造物の正面図。
【図４】固定筋とラチス筋の下端凹部とを拡大して示す部分拡大正面図。
【図５】デッキプレート構造物Ａの部分側面図。
【図６】固定筋とラチス筋の下端凹部とを拡大して示す部分拡大側面図。
【図７】固定筋の正面図。
【図８】スポット溶接する前の状態で示す固定筋と溶接凸部との部分拡大図。
【図９】スポット溶接した後の状態で示す固定筋と溶接凸部との部分拡大図。
【図１０】他の一例として示すデッキプレート構造物の斜視図。
【図１１】デッキプレート構造物の正面図。
【図１２】固定筋とラチス筋の下端凹部とを拡大して示す部分拡大正面図。
【図１３】固定筋の正面図。
【図１４】他の一例として示すデッキプレート構造物の上面図。
【図１５】デッキプレート構造物の正面図。
【図１６】デッキプレート構造物の部分側面図。
【発明を実施するための形態】
【００３２】
一例として示すデッキプレート構造物１０Ａの斜視図である図１等の添付の図面を参照し、本発明に係るデッキプレート構造物の詳細を説明すると、以下のとおりである。なお、図２は、デッキプレート構造物１０Ａの上面図であり、図３は、デッキプレート構造物１０Ａの正面図である。図４は、固定筋１３とラチス筋２６ａ，２６ｂの下端凹部２９とを拡大して示すそれらの部分拡大正面図であり、図５は、デッキプレート構造物１０Ａの部分側面図である。図６は、固定筋１３とラチス筋２６ａ，２６ｂの下端凹部２９とを拡大して示すそれらの部分拡大側面図であり、図７は、固定筋１３の正面図である。図８は、スポット溶接する前の状態で示す固定筋１３と溶接凸部１８ａ，１８ｂとの部分拡大図であり、図９は、スポット溶接した後の状態で示す固定筋１３と溶接凸部１８ａ，１８ｂとの部分拡大図である。図１〜３では、前後方向を矢印Ａ（図３を除く）、横方向を矢印Ｂで示し、上下方向を矢印Ｃ（図２を除く）で示す。
【００３３】
このデッキプレート構造物１０Ａは、所定面積を有する前後方向へ長い金属デッキ１１と、金属デッキ１１に配置されて横方向へ並ぶ複数の鉄筋トラス１２と、金属デッキ１１に配置されて前後方向へ等間隔で並ぶ複数の固定筋１３（横筋）とから作られている。デッキプレート構造物１０Ａは、所定面積の床スラブや天井スラブ、屋根スラブ等のスラブ（図示せず）を構築するために使用される。
【００３４】
金属デッキ１１は、前後方向へ延びる両側縁部１４ａ，１４ｂと横方向へ延びる両端縁部１５ａ，１５ｂとを有するとともに、略フラットな上面１６および下面１７を有する。金属デッキ１１には、鉄板が使用されており、その上下面１６，１７にメッキ処理が施されている。なお、金属デッキ１１としてプリント金属板を使用することもできる。プリント金属板の下面１７には、床に用いられる各種の模様や天井に用いられる各種の模様等の所定のデザイン（図示せず）が印刷（プリント）されている。
【００３５】
金属デッキ１１には、その上面１６から上方へ突出して前後方向へ延びる複数の溶接凸部１８ａ，１８ｂが作られている。それら溶接凸部１８ａ，１８ｂは、横方向へ所定寸法離間して並んでいる。溶接凸部１８ａ，１８ｂは、金属デッキ１１の上面１６から上方へ略直状に延びていて横方向へ所定寸法離間する一対の両側部分１９と、それら両側部分１９の間において略水平に延びる頂部分２０とを有する（図８，９参照）。両側部分１９の間には、後記する電極が位置する空間が形成されている。頂部分２０には、その中央に位置して上方へ凸となる溶接突起２１が作られている。
【００３６】
金属デッキ１１の一方の側縁部１４ａには、第１フック２２（第１係合部）が作られ、他方の側縁部１４ｂには、第２フック２３（第２係合部）が作られている。第１フック２２は、金属デッキ１１の一方の側縁部１４ａをデッキ１１の上面１６から上方へ向かって折り曲げた後、さらに側縁部１４ａをデッキ１１の下面１７から下方であって横方向内方へ折り曲げることから作られている。第２フック２３は、金属デッキ１１の他方の側縁部１４ｂをデッキ１１の上面１６から上方であって横方向内方へ折り曲げることから作られている。
【００３７】
各金属デッキ１１は、一方の金属デッキ１１の第１フック２２に他方の金属デッキ１１の第２フック２３を引っ掛け、それらフック２２，２３どうしを互いに係合させることで、各金属デッキ１１を横方向へつなげ、複数の金属デッキ１１を連結した状態で横方向へ並べることができる。なお、金属デッキ１１の面積に特に限定はなく、その面積を自由に変えることができる。
【００３８】
それら鉄筋トラス１２は、金属デッキ１１の上面１６であってデッキ１１に作られた溶接凸部１８ａ，１８ｂの間に配置されて前後方向へ互いに並行して延びている。なお、デッキプレート構造物１０Ａでは、金属デッキ１１に２つの鉄筋トラス１２が設置されているが、デッキ１１に設置するトラス１２の数に特に限定はなく、デッキ１１の面積やトラス１２の大きさに応じてデッキ１１に設置するトラス１２の数を自由に決めることができる。
【００３９】
それら鉄筋トラス１２は、１本の上端筋２４と２本（一対）の下端筋２５ａ，２５ｂと２本（一対）のラチス筋２６ａ，２６ｂとから組み立てられている。上端筋２４は、鉄を延伸して作られた断面円形の鉄棒であるが、その周面に節（リブ）を有する異形鉄棒を使用することもできる。上端筋２４は、横方向へ並ぶ一対の溶接凸部１８ａ，１８ｂの間に位置し、金属デッキ１１の上面１６から上方へ所定寸法離間して前後方向へ直状に延びている。各上端筋２４は、横方向へ所定寸法離間して並び、互いに並行して延びている。各鉄筋トラス１２において横方向へ並ぶ各上端筋２４の前後方向の長さ寸法は同一であり、金属デッキ１１の上面１６から上方への各上端筋２４の離間寸法は同一である。
【００４０】
それら下端筋２５ａ，２５ｂは、鉄を延伸して作られた断面円形の鉄棒であるが、その周面に節（リブ）を有する異形鉄棒を使用することもできる。下端筋２５ａ，２５ｂは、横方向へ並ぶ一対の溶接凸部１８ａ，１８ｂの間に位置（それら溶接凸部１８ａ，１８ｂから内側へ所定寸法離間して位置）し、それらラチス筋２６ａ，２６ｂの外側に位置するとともに、上端筋２４の下方であって上端筋２４の横方向両側に位置している。
【００４１】
それら下端筋２５ａ，２５ｂは、金属デッキ１１の上面１６から上方へ所定寸法離間して前後方向へ直状に延びている。それら下端筋２５ａ，２５ｂは、横方向へ所定寸法離間して並び、互いに並行して延びている。各鉄筋トラス１２において横方向へ並ぶ各下端筋２５ａ，２５ｂの前後方向の長さ寸法は同一であり、金属デッキ１１の上面１６から上方への各下端筋２５ａ，２５ｂの離間寸法は同一である。
【００４２】
それらラチス筋２６ａ，２６ｂは、鉄を延伸して作られた断面円形の鉄棒である。ラチス筋２６ａ，２６ｂは、横方向へ並ぶ一対の溶接凸部１８ａ，１８ｂの間に位置（それら溶接凸部１８ａ，１８ｂから内側へ所定寸法離間して位置）するとともに、金属デッキ１１と上端筋２４との間に位置し、上下方向へ波状に起伏（曲折）を繰り返しながら前後方向へ延びている。
【００４３】
それらラチス筋２６ａ，２６ｂは、上端筋２４の側に位置する上端凸部２７と、金属デッキ１１の上面１６の側に位置する下端凹部２９と、上端凸部２７および下端凹部２９の間に延びる中間部２８とを有する。ラチス筋２６ａ，２６ｂは、その直径Ｌ１が溶接凸部１６（両側部分１９）の金属デッキ１１の上面１６からの高さ寸法Ｌ２と略同一またはわずかに大きい（溶接凸部１８ａ，１８ｂ（両側部分１９）の金属デッキ１１の上面１６からの高さ寸法Ｌ１がラチス筋２６ａ，２６ｂの直径Ｌ１と略同一またはわずかに小さい）。ラチス筋２６ａ，２６ｂの直径Ｌ１は、６〜１０ｍｍの範囲にあり、溶接凸部１６（両側部分１９）の金属デッキ１１の上面１６からの高さ寸法Ｌ２は、３〜７ｍｍの範囲にある。
【００４４】
鉄筋トラス１２を形成する一対のラチス筋２６ａ，２６ｂは、上端筋２４を挟んで横方向へ対称型に配置されている。したがって、横方向に並ぶ一対のラチス筋２６ａ，２６ｂの上端凸部２７どうしの位置が一致し、中間部２８どうしの位置が一致するとともに、下端凹部２９どうしの位置が一致している。各ラチス筋２６ａ，２６ｂは、前後方向に隣接する上端凸部２７どうしの離間寸法が等しく、上端凸部２７が縦方向へ等間隔で並び、前後方向に隣接する下端凹部２９どうしの離間寸法が等しく、下端凹部２９が前後方向へ等間隔で並んでいる。また、各ラチス筋２６ａ，２６ｂの下端凹部２９から上端凸部２７までの高さ寸法は略同一である。
【００４５】
ラチス筋２６ａ，２６ｂは、図３に示すように、金属デッキ１１に対して所定角度で傾斜し、その上端凸部２７から下端凹部２９に向かって横方向外方へ末広がりになっている。なお、ラチス筋２６ａ，２６ｂの傾斜角度について特に限定はなく、一対の溶接凸部１８ａ，１８ｂの間に位置（それら溶接凸部１８ａ，１８ｂの内側に位置）すれば、その傾斜角度を自由に変えることができる。ラチス筋２６ａ，２６ｂの上端凸部２７は、上下方向上方へ向かって凸（凸状）となるように略逆Ｖ字状に折り曲げられている。上端凸部２７は、上端筋２４の周面に当接し、上端凸部２７のうちの上端筋２４と交差する部分（交差箇所）が上端筋２４にスポット溶接によって溶着（固定）されている。
【００４６】
ラチス筋２６ａ，２６ｂの中間部２８は、下端筋２５ａ，２５ｂの内側に位置し、中間部２８のうちの下端筋２５ａ，２５ｂと交差する部分（交差箇所）が下端筋２５ａ，２５ｂにスポット溶接によって溶着（固定）されている。それらラチス筋２６ａ，２６ｂの下端凹部２９は、上下方向下方へ向かって凹（凹状）となるように略Ｖ字状に折り曲げられている。下端凹部２９の底部分３０は、金属デッキ１１の上面１６に当接している。
【００４７】
一方のラチス筋２６ａの下端凹部２９は、その底部分３０が一方の溶接凸部１８ａの内側であってその凸部１８ａの直近に隣接し、他方のラチス筋２６ｂの下端凹部２９は、その底部分３０が他方の溶接凸部１８ｂの内側であってその凸部１８ｂの直近に隣接している。換言すれば、一対の溶接凸部１８ａ，１８ｂのうちの一方の溶接凸部１８ａが一方のラチス筋２６ａの下端凹部２９の横方向外方であってその下端凹部２９の直近に隣接し、一対の溶接凸部１８ａ，１８ｂのうちの他方の溶接凸部１８ｂが他方のラチス筋２６ｂの下端凹部２９の横方向外方であってその下端凹部２９の直近に隣接している。なお、下端凹部２９の底部分３０は、固定筋１３の曲率と略同一の曲率、または、固定筋１３の曲率よりもわずかに大きな曲率を有する。
【００４８】
各ラチス筋２６ａ，２６ｂの上下方向へ波状に曲折を繰り返す角度は一定であり、単位長さ（たとえば１ｍ）当たりのラチス筋２６ａ，２６ｂの曲折を繰り返す回数は同一である。なお、ラチス筋２６ａ，２６ｂの上下方向へ波状に曲折を繰り返す角度は自由に変えることができ、その角度を調節（単位長さ当たりのラチス筋２６ａ，２６ｂの曲折を繰り返す回数を調節）することで、ラチス筋２６ａ，２６ｂの上端凸部２７どうしの縦方向の離間寸法を自由に調節することができ、ラチス筋２６ａ，２６ｂの下端凹部２９どうしの縦方向の離間寸法を自由に調節することができる。
【００４９】
上端筋２４とラチス筋２６ａ，２６ｂの上端凸部２７とのスポット溶接では、図示はしていないが、電極および移動機構を備えた自動溶接機が使用される。自動溶接機による溶接の一例では、上端筋２４および上端凸部２７を各電極で押圧しつつ、それら電極で上端筋２４と上端凸部２７とを挟み込む。電極で上端筋２４と上端凸部２７とを挟み込むと同時に、それら電極に所定値の電流を流す（所定値の電圧を印可する）。それら電極から流れた電流は、上端筋２４と上端凸部２７とに流れ、上端筋２４および上端凸部２７を加熱溶融する。それら電極が上端筋２４および上端凸部２７から離間すると、上端筋２４と上端凸部２７とが冷却固化し、それらが溶着する。
【００５０】
下端筋２５ａ，２５ｂとラチス筋２６ａ，２６ｂの中間部２８とのスポット溶接では、下端筋２５ａ，２５ｂおよび中間部２８を各電極で押圧しつつ、それら電極で下端筋２５ａ，２５ｂと中間部２８とを挟み込む。電極で下端筋２５ａ，２５ｂと中間部２８とを挟み込むと同時に、それら電極に所定の電流を流す（所定の電圧を印可する）。それら電極から流れた電流は、下端筋２５ａ，２５ｂと中間部２８とに流れ、下端筋２５ａ，２５ｂおよび中間部２７を加熱溶融する。それら電極が下端筋２５ａ，２５ｂおよび中間部２８から離間すると、下端筋２５ａ，２５ｂと中間部２７とが冷却固化し、それらが溶着する。
【００５１】
それら固定筋１３は、鉄を延伸して作られた断面円形の鉄棒であり、金属デッキ１１の上面１６に位置して横方向へ延びている。なお、それら固定筋１３の横方向の長さ寸法は同一である。固定筋１３は、それらラチス筋２６ａ，２６ｂの下端凹部２９の上方へ凸となる押さえ凸部３１と、押さえ凸部３１を除いた残余部３２とを有する。残余部３２は、押さえ凸部３１の間に位置して横方向へ直状に延びている。固定筋１３の押さえ凸部３１は、溶接凸部１８ａ，１８ｂの側に位置して上方へ延びる第１起立部分３３ａ（起立部分）と、それらラチス筋２６ａ，２６ｂの下端凹部２９の間に位置して上方へ延びる第２起立部分３３ｂ（起立部分）と、それら起立部分３３ａ，３３ｂの間に延びていてそれらラチス筋２６ａ，２６ｂの下端凹部２９に跨る水平部分３４とを有し、その正面形状が等脚台形状に成形されている。起立部分３３ａ，３３ｂの高さ寸法Ｌ３は、８〜１２ｍｍの範囲にある。
【００５２】
固定筋１３の押さえ凸部３１は、その水平部分３４がそれらラチス筋２６ａ，２６ｂの下端凹部２９の底部分３０の上に配置されている。押さえ凸部３１は、ラチス筋２６ａ，２６ｂの下端凹部２９において前後方向前方と前後方向後方とのいずれか一方に傾倒しつつ下端凹部２９に当接（密着）している。固定筋１３の残余部３２は、溶接凸部１８ａ，１８ｂの上に配置されている。残余部３２は、金属デッキ１１の両側縁部１４ａ，１４ｂに延びているとともに、ラチス筋２６ａ，２６ｂの下端凹部２９の間に延びている。残余部３２のうち、金属デッキ１１の他方の側縁部１４ｂであって第２フック２３近傍に延びる残余部３２は、溶接凸部１８ａ，１８ｂから金属デッキ１１の上面１６に向かって下方へ折り曲げられ、下り勾配に傾斜している。
【００５３】
固定筋１３の残余部３２を溶接凸部１８ａ，１８ｂにスポット溶接する前において、固定筋１３の押さえ凸部３１を下端凹部２９の底部分３０の上に配置すると、押さえ凸部３１（第１および第２起立部分３３ａ，３３ｂおよび水平部分３４）が下端凹部２９の底部分３０において前後方向前方または前後方向後方のいずれか一方に倒れ込み、固定筋１３の押さえ凸部３１が下端凹部２９の底部分３０に位置決めされるとともに、図８に示すように、固定筋１３の残余部３２の周面が金属デッキ１１に作られた溶接凸部１８ａ，１８ｂの頂部分２０の溶接突起２１に載置される。
【００５４】
固定筋１３の残余部３２は、図９に示すように、溶接凸部１８ａ，１８ｂの頂部分２０にスポット溶接によって溶着（固定）されている。デッキプレート構造物１０Ａでは、固定筋１３の残余部３２と溶接凸部１８ａ，１８ｂの頂部分２０とを溶接すると、それらラチス筋２６ａ，２６ｂの下端凹部２９が金属デッキ１１の上面１６と固定筋１３の押さえ凸部３１とに挟まれ、それらラチス筋２６ａ，２６ｂ（鉄筋トラス１２）がデッキ１１の上面１６に強固に固定される。
【００５５】
固定筋１３の残余部３２と溶接凸部１８ａ，１８ｂの頂部分２０とのスポット溶接では、図示はしていないが、残余部３２の上方に一方の電極が配置され、金属デッキ１１に作られた溶接凸部１８ａ，１８ｂの両側部分１９の間の空間に他方の電極が配置される。他方の電極は、溶接凸部１８ａ，１８ｂの頂部分１９に当接している。一方の電極を降下させ、その電極で固定筋１３の残余部３２の周面を下方へ押圧しつつ、それら電極で残余部３２と溶接凸部１８ａ，１８ｂの頂部分２０とを挟み込む。それら電極で残余部３２と溶接凸部１８ａ，１８ｂの頂部分２０とを挟み込むと同時に、それら電極に所定値の電流を流す（所定値の電圧を印可する）。
【００５６】
それら電極から流れた電流は、固定筋１３の残余部３２と溶接凸部１８ａ，１８ｂの頂部分２０とに流れ、残余部３２と頂部分２０とを加熱溶融する。一方の電極が上昇し、一方の電極が残余部３２から離間すると、残余部３２および頂部分２０とが冷却固化し、それらが溶着する。固定筋１３と溶接凸部１８ａ，１８ｂとの溶接時では、溶接凸部１８ａ，１８ｂの頂部分２０に作られた溶接突起２１が押し潰されるとともに、頂部分２０の全体が固定筋１３の残余部３２の周面に溶着し、固定筋１３の残余部３２と溶接凸部１８ａ，１８ｂの頂部分２０とが強固に固定される。
【００５７】
デッキプレート構造物１０Ａは、それら下端筋２５ａ，２５ｂが一対の溶接凸部１８ａ，１８ｂの内側に位置しているから、下端筋２５ａ，２５ｂが電極の下降・上昇の邪魔になることはなく、それら電極によって固定筋１３の残余部３２と溶接凸部１８ａ，１８ｂの頂部分２０とを確実に溶接固定することができる。なお、溶接凸部１８ａ，１８ｂの頂部分２０に溶接突起２１を作ることで、固定筋１３の残余部３２と溶接凸部１８ａ，１８ｂの頂部分２０とを確実に接触させることができ、溶接凸部１８ａ，１８ｂの突起２１を介して凸部１８ａ，１８ｂの頂部分２０と固定筋１３の残余部３２とを確実に導通状態にすることができ、スポット溶接によって残余部３２と頂部分２０とを確実に溶着することができる。
【００５８】
固定筋１３や上端筋２４、下端筋２５ａ，２５ｂ、ラチス筋２６ａ，２６ｂは、それらの太さについて特に限はなく、構築する床スラブや天井スラブ、屋根スラブ等のスラブの大きさやスラブに必要な強度に合わせて固定筋１３や上端筋２４、下端筋２５ａ，２５ｂ、ラチス筋２６ａ，２６ｂの太さを自由に変えることができる。固定筋１３や上端筋２４、下端筋２５ａ，２５ｂ、ラチス筋２６ａ，２６ｂは鉄から作られているが、鉄以外の金属から作ることもできる。また、固定筋１３や上端筋２４、下端筋２５ａ，２５ｂ、ラチス筋２６ａ，２６ｂに鉄を用いる場合は、それらにメッキ等の防錆処理が施されていてもよい。
【００５９】
このデッキプレート構造物１０Ａを使用してスラブを構築する一例としては、金属デッキ１１の上面１６に鉄筋トラス１２と固定筋１３とを設置して複数のデッキプレート構造物１０Ａを作った後、各デッキプレート構造物１０Ａの第１フック２２と第２フック２３とを係合させ、それらデッキプレート構造物１０Ａを横方向へ連結し、デッキプレート構造物１０Ａの集合体を作る。次に、連結したデッキプレート構造物１０Ａの集合体を建築物の横梁の間に配置固定する。デッキプレート構造物１０Ａの集合体を建築物の横梁の間に固定した後、金属デッキ１１の上方から型枠（図示せず）内にコンクリート（図示せず）を打設し、コンクリートを所定期間養生する。コンクリートの養生期間が経過した後、型枠を外し、床スラブや天井スラブ、屋根スラブ等のスラブが完成する。
【００６０】
なお、コンクリートの打設時やデッキプレート構造物１０Ａの建築物の横梁間への配置時に、デッキプレート構造物１０Ａの上方から下方に向かって荷重がかかり、ラチス筋２６ａ，２６ｂの下端凹部２９が横方向外方へ移動しようとしても、下端凹部２９が押さえ凸部３１の第１起立部分３３ａに衝突し、第１起立部分３３ａによって下端凹部２９のそれ以上の移動が阻止される。また、コンクリートの打設時やデッキプレート構造物１０Ａの建築物の横梁間への配置時に、デッキプレート構造物１０Ａに横方向内方への荷重がかかり、ラチス筋２６ａ，２６ｂの下端凹部２９が横方向内方へ移動しようとしても、下端凹部２９が押さえ凸部３１の第２起立部分３３ｂに衝突し、第２起立部分３３ｂによって下端凹部２９のそれ以上の移動が阻止される。
【００６１】
デッキプレート構造物１０Ａでは、ラチス筋２６ａ，２６ｂの直径Ｌ１が溶接凸部１８ａ，１８ｂ（両側部分１９）の金属デッキ１１の上面１６からの高さ寸法Ｌ２と略同一またはわずかに大きいから、固定筋１３の押さえ凸部３１をそれらラチス筋２６ａ，２６ｂの下端凹部２９の底部分３０の上に配置したときに、固定筋１３が横方向へ動いたとしても、押さえ凸部３１の起立部分３３ａ，３３ｂがラチス筋２６ａ，２６ｂの下端凹部２９の周面に当接し、固定筋１３のそれ以上の動きが阻止され、固定筋１３の押さえ凸部３１が下端凹部２９の底部分３０に位置決めされるとともに、固定筋１３の残余部３２が溶接凸部１８ａ，１８ｂの頂部分２０に位置決めされる。
【００６２】
デッキプレート構造物１０Ａは、固定筋１３の押さえ凸部３１が下端凹部２９の底部分３０に位置決めされるから、ラチス筋２６ａ，２６ｂに対する固定筋１３の位置決めを別途行う必要はなく、固定筋１３の残余部３２を溶接凸部１８ａ，１８ｂの頂部分２０に確実に溶接固定することができる。デッキプレート構造物１０Ａでは、固定筋１３の残余部３２が溶接凸部１８ａ，１８ｂの頂部分２０に当接し、残余部３２を頂部分２０に確実に溶接固定することができるから、それらラチス筋２６ａ，２６ｂの下端凹部２９を金属デッキ１１の上面１６と固定筋１３の押さえ凸部３１とで挟み込むことができ、ラチス筋２６ａ，２６ｂ（鉄筋トラス１２）をデッキ１１の上面１６に確実に固定することができる。したがって、鉄筋トラス１２がデッキ１１の上面１６で遊動することはなく、金属デッキ１１と鉄筋トラス１２との固定が不用意に解除されることはない。
【００６３】
デッキプレート構造物１０Ａは、一方の溶接凸部１８ａが一方のラチス筋２６ａの下端凹部２９の横方向外方であって下端凹部２９の直近に隣接し、他方の溶接凸部１８ｂが他方のラチス筋２６ｂの下端凹部２９の横方向外方であって下端凹部２９の直近に隣接し、固定筋１３の残余部３２がラチス筋２６ａ，２６ｂの下端凹部２９の直近に隣接する溶接凸部１８ａ，１８ｂに溶接固定されるから、一対の溶接凸部１８ａ，１８ｂの間に延びる固定筋１３の横方向の寸法を最小限になり、それによってそれらラチス筋２６ａ，２６ｂの下端凹部２９を押さえ凸部３１によって金属デッキ１１の上面１６に緩みなくしっかりと固定することができ、鉄筋トラス１２をデッキ１１の上面１６に緩みなくしっかりと固定することができる。
【００６４】
デッキプレート構造物１０Ａは、それにコンクリートが打設されたときに、コンクリートと金属デッキ１１や鉄筋トラス１２、固定筋１３とが鉄筋コンクリート構造を形成し、コンクリートに曲げ引張力や曲げ圧縮力、せん断力が作用したとしても、それらの力によってコンクリートにクラックが発生することはなく、デッキプレート構造物１０Ａを利用して十分な強度を有するスラブを構築することができる。
【００６５】
デッキプレート構造物１０Ａは、固定筋１３の残余部３２が金属デッキ１１に作られた溶接凸部１８ａ，１８ｂに溶接され、ラチス筋２６ａ，２６ｂの下端凹部２９が金属デッキ１１の上面１６に当接するだけであり、下端凹部２９がデッキ１１に直接溶接されることはないから、デッキ１１の美観を損なうことがないことはもちろん、デッキ１１の下面１７に溶接跡が生じることはなく、デッキ１１の下面１７における錆の発生を防ぐことができる。
【００６６】
第２フック２３近傍に延びる固定筋１３の残余部３２が溶接凸部１８ａ，１８ｂから金属デッキ１１の上面１６に向かって下り勾配に傾斜しておらず、直状に延びている場合、デッキ１１の第１フック２２を第２フック２３に係合させるときに、固定筋１３の残余部３２がそれらフック２２，２３の係合の邪魔になり、それらフック２２，２３をスムースに係合させることができないが、デッキプレート構造物１０Ａは、第２フック２３近傍に延びる固定筋１３の残余部３２が溶接凸部１８ａ，１８ｂから金属デッキ１１の上面１６に向かって下方へ折り曲げられて下り勾配に傾斜しているから、固定筋１３の残余部３２がそれらフック２２，２３の係合の邪魔になることはなく、それらフック２２，２３をスムースに係合させることができ、複数のデッキプレート構造物１０Ａを横方向へ繋げて所定面積のデッキプレート構造物１０Ａの集合体を容易に作ることができる。
【００６７】
図１０は、他の一例として示すデッキプレート構造物１０Ｂの斜視図であり、図１１は、デッキプレート構造物１０Ｂの正面図である。図１２は、固定筋１３とラチス筋２６ａ，２６ｂの下端凹部２９とを拡大して示すそれらの部分拡大正面図であり、図１３は、固定筋１３の正面図である。図１０，１１では、前後方向を矢印Ａ（図１１を除く）、横方向を矢印Ｂで示し、上下方向を矢印Ｃで示す。
【００６８】
デッキプレート構造物１０Ｂが図１のそれと異なるところは、固定筋１３の押さえ凸部３１が上下方向上方へ凸となるように逆Ｖ字状に折り曲げられている点にあり、その他の構成は図１のデッキプレート構造物１０Ａのそれらと同一であるから、図１と同一の符号を付すとともに、図１の説明を援用し、このデッキプレート構造物１０Ｂにおけるその他の構成の詳細な説明は省略する。
【００６９】
デッキプレート構造物１０Ｂは、所定面積を有する前後方向へ長い金属デッキ１１と、デッキ１１の上面１６に配置されて横方向へ並ぶ複数の鉄筋トラス１２と、デッキ１１の上面１６に配置されて前後方向へ等間隔で並ぶ複数の固定筋１３とから作られている。デッキプレート構造物１０Ｂは、図１のそれと同様に、所定面積の床スラブや天井スラブ、屋根スラブ等のスラブを構築するために使用される。
【００７０】
金属デッキ１１には、その上面１６から上方へ突出して前後方向へ延びる複数の溶接凸部１８ａ，１８ｂが作られている。溶接凸部１８ａ，１８ｂは、金属デッキ１１の上面１６から上方へ略直状に延びる一対の両側部分１９と、それら両側部分１９の間において略水平に延びる頂部分２０とを有する（図６，７援用）。頂部分２０には、その中央に位置して上方へ凸となる溶接突起２１が作られている。金属デッキ１１の一方の側縁部１４ａには、第１フック２２（第１係合部）が作られ、他方の側縁部１４ｂには、第２フック２３（第２係合部）が作られている。
【００７１】
それら鉄筋トラス１２は、金属デッキ１１の上面１６であってデッキ１１の溶接凸部１８ａ，１８ｂの間に配置されて前後方向へ並行して延びている。鉄筋トラス１２は、１本の上端筋２４と２本（一対）の下端筋２５ａ，２５ｂと２本（一対）のラチス筋２６ａ，２６ｂとから組み立てられている。上端筋２４は、横方向へ並ぶ一対の溶接凸部１８ａ，１８ｂの間に位置し、金属デッキ１１の上面１６から上方へ所定寸法離間して前後方向へ直状に延びている。
【００７２】
それら下端筋２５ａ，２５ｂは、横方向へ並ぶ一対の溶接凸部１８ａ，１８ｂの間に位置（溶接凸部１８ａ，１８ｂの内側）し、それらラチス筋２６ａ，２６ｂの外側に位置するとともに、上端筋２４の下方であって上端筋２４の横方向両側に位置している。下端筋２５ａ，２５ｂは、金属デッキ１１の上面１６から上方へ所定寸法離間して前後方向へ直状に延びている。
【００７３】
それらラチス筋２６ａ，２６ｂは、横方向へ並ぶ一対の溶接凸部１８ａ，１８ｂの間（溶接凸部１８ａ，１８ｂの内側）に位置するとともに、金属デッキ１１と上端筋２４との間に位置し、上下方向へ波状に起伏（曲折）を繰り返しながら前後方向へ延びている。ラチス筋２６ａ，２６ｂは、上端筋２４の側に位置する上端凸部２７と、金属デッキ１１の上面１６の側に位置する下端凹部２９と、上端凸部２７および下端凹部２９の間に延びる中間部２８とを有する。
【００７４】
一対のラチス筋２６ａ，２６ｂは、上端筋２４を挟んで横方向へ対称型に配置されている。ラチス筋２６ａ，２６ｂは、金属デッキ１１に対して所定角度で傾斜し、その上端凸部２７から下端凹部２９に向かって横方向外方へ末広がりになっている。ラチス筋２６ａ，２６ｂの上端凸部２７は、上下方向上方へ向かって凸となるように略逆Ｖ字状に折り曲げられている。上端凸部２７は、上端筋２４の周面に当接し、上端凸部２７のうちの上端筋２４と交差する部分が上端筋２４にスポット溶接によって溶着（固定）されている。
【００７５】
ラチス筋２６ａ，２６ｂの中間部２８は、下端筋２５ａ，２５ｂの内側に位置し、中間部２８のうちの下端筋２５ａ，２５ｂと交差する部分が下端筋２５ａ，２５ｂにスポット溶接によって溶着（固定）されている。ラチス筋２６ａ，２６ｂの下端凹部２９は、上下方向下方へ向かって凹となるように略Ｖ字状に折り曲げられている。下端凹部２９は、その底部分３０が溶接凸部１８ａ，１８ｂの内側であって溶接凸部１８ａ，１８ｂの直近に隣接している。下端凹部２９の底部分３０は、金属デッキ１１の上面１６に当接している。底部分３０は、固定筋の曲率と略同一の曲率、または、固定筋の曲率よりもわずかに大きな曲率を有する。上端筋２４とラチス筋２６ａ，２６ｂの上端凸部２７とのスポット溶接や下端筋２５ａ，２５ｂとラチス筋２６ａ，２６ｂの中間部２８とのスポット溶接は、図１の鉄筋トラス１２のそれらと同一である。
【００７６】
固定筋１３は、ラチス筋２６ａ，２６ｂの下端凹部２９の上方へ凸となるようにＶ字状に折り曲げられた押さえ凸部３１と、押さえ凸部３１を除いた残余部３２とを有し、金属デッキ１１の上面１６に位置して横方向へ延びている。押さえ凸部３１は、上方へ傾斜して延びる一対の第１および第２起立部分３３ａ，３３ｂを有し、略逆三角形状に成形され、ラチス筋２６ａ，２６ｂの下端凹部２９の底部分３０の上に配置されている。押さえ凸部３１のＶ字状に折り曲げられた角度は、ラチス筋２６ａ，２６ｂの下端凹部２９のＶ字状に折り曲げられた角度と略同一である。押さえ凸部３１は、前後方向前方と前後方向後方とのいずれか一方に傾倒しつつ下端凹部２９に当接している。残余部３２は、押さえ凸部３１の間に位置して横方向へ直状に延びている。金属デッキ１１の他方の側縁部１４ｂであって第２フック２３近傍に延びる残余部３２は、溶接凸部１８ａ，１８ｂから金属デッキ１１の上面１６に向かって下方へ折り曲げられ、下り勾配に傾斜している。それら起立部分３３ａ，３３ｂの高さ寸法Ｌ３は、８〜１５ｍｍの範囲にある。
【００７７】
固定筋１３の残余部３２を溶接凸部１８ａ，１８ｂにスポット溶接する前において、固定筋１３の押さえ凸部３１を下端凹部２９の底部分３０の上に配置すると、押さえ凸部３１（第１および第２起立部分３３ａ，３３ｂ）が下端凹部２９の底部３０において前後方向前方または前後方向後方のいずれか一方に倒れ込み、押さえ凸部３１が底部分３０に位置決めされるとともに、固定筋１３の残余部３２の周面が溶接凸部１８ａ，１８ｂの頂部分２０の溶接突起２１に載置される。残余部３２は、溶接凸部１８ａ，１８ｂの頂部分２０にスポット溶接によって溶着（固定）されている。
【００７８】
固定筋１３の残余部３２と溶接凸部１８ａ，１８ｂの頂部分２０とを溶接すると、それらラチス筋２６ａ，２６ｂの下端凹部２９が金属デッキ１１の上面１６と固定筋１３の押さえ凸部３１とに挟まれ、それらラチス筋２６ａ，２６ｂ（鉄筋トラス１２）がデッキ１１の上面１６に強固に固定される。固定筋１３の残余部３２と溶接凸部１８ａ，１８ｂの頂部分２０とのスポット溶接は、図１のデッキプレート構造物１０Ａのそれと同一である。
【００７９】
デッキプレート構造物１０Ｂでは、ラチス筋２６ａ，２６ｂの直径Ｌ１が溶接凸部１８ａ，１８ｂの金属デッキ１１の上面１６からの高さ寸法Ｌ２と略同一またはわずかに大きく、固定筋１３の押さえ凸部３１がＶ字状に折り曲げられているから、押さえ凸部３１をそれらラチス筋２６ａ，２６ｂの下端凹部２９の底部分３０の上に配置したときに、固定筋１３が横方向へ動いたとしても、押さえ凸部３１の起立部分３３ａ，３３ｂがラチス筋２６ａ，２６ｂの下端凹部２９の周面に当接し、固定筋１３のそれ以上の動きが阻止され、固定筋１３の押さえ凸部３１が下端凹部２９の底部分３０に位置決めされるとともに、固定筋１３の残余部３２が溶接凸部１８ａ，１８ｂの頂部分２０に位置決めされる。ラチス筋２６ａ，２６ｂの直径Ｌ１および溶接凸部１６（両側部分１９）の金属デッキ１１の上面１６からの高さ寸法Ｌ２は、図１のデッキプレート構造物１０Ａのそれらと同一である。
【００８０】
このデッキプレート構造物１０Ｂを使用したスラブの構築手順は、図１のデッキプレート構造物１０Ａを使用したスラブのそれと同一である。なお、コンクリートの打設時やデッキプレート構造物１０Ｂの建築物の横梁間への配置時に、デッキプレート構造物１０Ｂの上方から下方に向かって荷重がかかり、ラチス筋２６ａ，２６ｂの下端凹部２９が横方向外方へ移動しようとしても、下端凹部２９が押さえ凸部３１の第１起立部分３３ａに衝突し、第１起立部分３３ａによって下端凹部２９のそれ以上の移動が阻止される。また、コンクリートの打設時やデッキプレート構造物１０Ｂの建築物の横梁間への配置時に、デッキプレート構造物１０Ｂに横方向内方への荷重がかかり、ラチス筋２６ａ，２６ｂの下端凹部２９が横方向内方へ移動しようとしても、下端凹部２９が押さえ凸部３１の第２起立部分３３ｂに衝突し、第２起立部分３３ｂによって下端凹部２９のそれ以上の移動が阻止される。
【００８１】
デッキプレート構造物１０Ｂは、固定筋１３の押さえ凸部３１が下端凹部２９の底部分３０に位置決めされるから、ラチス筋２６ａ，２６ｂに対する固定筋１３の位置決めを別途行う必要はなく、固定筋１３の残余部３２を溶接凸部１８ａ，１８ｂの頂部分２０に確実に溶接固定することができる。デッキプレート構造物１０Ｂでは、固定筋１３の残余部３２が溶接凸部１８ａ，１８ｂの頂部分２０に当接し、残余部３２と溶接凸部１８ａ，１８ｂの頂部分２０とを確実に溶接固定することができるから、それらラチス筋２６ａ，２６ｂの下端凹部２９を金属デッキ１１の上面１６と固定筋１３の押さえ凸部３１とで挟み込むことができ、ラチス筋２６ａ，２６ｂ（鉄筋トラス１２）を金属デッキ１１の上面１６に強固に固定することができる。したがって、鉄筋トラス１２と金属デッキ１１との固定が不用意に解除されることはない。
【００８２】
デッキプレート構造物１０Ｂは、ラチス筋２６ａ，２６ｂの下端凹部２９が金属デッキ１１の上面１６とそれら固定筋１３とに挟まれ、それによってラチス筋２６ａ，２６ｂが金属デッキ１１の上面１６に強固に固定されるから、鉄筋トラス１２をデッキ１１の上面１６に確実に固定することができ、デッキ１１と鉄筋トラス１２との固定が不用意に解除されることはなく、デッキプレート構造物１０Ｂにコンクリートが打設されたときに、コンクリートと金属デッキ１１や鉄筋トラス１２とが鉄筋コンクリート構造を形成し、コンクリートに曲げ引張力や曲げ圧縮力、せん断力が作用したとしても、それらの力によってコンクリートにクラックが発生することはなく、デッキプレート構造物１０Ｂを利用して十分な強度を有するスラブを構築することができる。
【００８３】
デッキプレート構造物１０Ｂは、固定筋１３の残余部３２がラチス筋２６ａ，２６ｂの下端凹部２９の直近に隣接する溶接凸部１８ａ，１８ｂに溶接固定されるから、一対の溶接凸部１８ａ，１８ｂの間に延びる固定筋１３の横方向の寸法を最小限になり、それによってそれらラチス筋２６ａ，２６ｂの下端凹部２９を押さえ凸部３１によって金属デッキ１１の上面１６に緩みなくしっかりと固定することができ、鉄筋トラス１２をデッキ１１の上面１６に緩みなくしっかりと固定することができる。
【００８４】
デッキプレート構造物１０Ｂは、固定筋１３の残余部３２が金属デッキ１１に作られた溶接凸部１８ａ，１８ｂに溶接され、ラチス筋２６ａ，２６ｂの下端凹部２９がデッキ１１の上面１６に当接するだけであり、下端凹部２９がデッキに直接溶接されることはないから、デッキ１１の美観を損なうことがないことはもちろん、デッキ１１の下面１７に溶接跡が生じることはなく、デッキ１１の下面１７における錆の発生を防ぐことができる。デッキプレート構造物１０Ｂは、第２フック２３近傍に延びる固定筋１３の残余部３２が下方へ折り曲げられて下り勾配に傾斜しているから、残余部３２がそれらフック２２，２３の係合の邪魔になることはなく、それらフック２２，２３をスムースに係合させることができ、複数のデッキプレート構造物１０Ｂを横方向へ繋げて所定面積のデッキプレート構造物１０Ｂの集合体を作ることができる。
【００８５】
図１４は、他の一例として示すデッキプレート構造物１０Ｃの上面図であり、図１５は、デッキプレート構造物１０Ｃの正面図である。図１６は、デッキプレート構造物１０Ｃの部分側面図である。図１４，１５では、前後方向を矢印Ａ（図１５を除く）、横方向を矢印Ｂで示し、上下方向を矢印Ｃで示す。
【００８６】
デッキプレート構造物１０Ｃが図１のそれと異なるところは、それら下端筋２５ａ，２５ｂがそれらラチス筋２６ａ，２６ｂの内側に位置している点、隣接する鉄筋トラス１２の間に前後方向へ延びるボイド３５が設置されている点にあり、その他の構成は図１のデッキプレート構造物１０Ａと同一であるから、図１と同一の符号を付すとともに、図１の説明を援用し、このデッキプレート構造物１０Ｃにおけるその他の構成の詳細な説明は省略する。
【００８７】
デッキプレート構造物１０Ｃは、所定面積を有する前後方向へ長い金属デッキ１１と、デッキ１１の上面１６に配置されて横方向へ並ぶ複数の鉄筋トラス１２と、デッキ１１の上面１６に配置されて前後方向へ等間隔で並ぶ複数の固定筋１３と、複数のボイド３５と、複数のボイド載置筋３６とから作られている。デッキプレート構造物１０Ｃは、図１のそれと同様に、所定面積の床スラブや天井スラブ、屋根スラブ等のスラブを構築するために使用される。
【００８８】
金属デッキ１１には、その上面から上方へ突出して前後方向へ延びる複数の溶接凸部１８ａ，１８ｂが作られている。溶接凸部１８ａ，１８ｂは、金属デッキ１１の上面１６から上方へ略直状に延びる一対の両側部分１９と、それら両側部分１９の間において略水平に延びる頂部分２０とを有する（図６，７援用）。頂部分２０には、その中央に位置して上方へ凸となる溶接突起２１が作られている。金属デッキ１１の一方の側縁部１４ａには、第１フック２２（第１係合部）が作られ、他方の側縁部１４ｂには、第２フック２３（第２係合部）が作られている。
【００８９】
それら鉄筋トラス１２は、金属デッキ１１の上面１６であってデッキ１１の溶接凸部１８ａ，１８ｂの間に配置されて前後方向へ並行して延びている。それら鉄筋トラス１２は、１本の上端筋２４と２本（一対）の下端筋２５ａ，２５ｂと２本（一対）のラチス筋２６ａ，２６ｂとから組み立てられている。上端筋２４は、横方向へ並ぶ一対の溶接凸部１８ａ，１８ｂの間に位置し、金属デッキ１１の上面１６から上方へ所定寸法離間して前後方向へ直状に延びている。それら下端筋２５ａ，２５ｂは、横方向へ並ぶ一対の溶接凸部１８ａ，１８ｂの間に位置（溶接凸部１８ａ，１８ｂの内側）し、それらラチス筋２６ａ，２６ｂの内側に位置するとともに、上端筋２４の下方であって上端筋２４の横方向両側に位置している。下端筋２５ａ，２５ｂは、金属デッキ１１の上面１６から上方へ所定寸法離間して前後方向へ直状に延びている。
【００９０】
それらラチス筋２６ａ，２６ｂは、横方向へ並ぶ一対の溶接凸部１８ａ，１８ｂの間（溶接凸部１８ａ，１８ｂの内側）に位置するとともに、金属デッキ１１と上端筋２４との間に位置し、上下方向へ波状に起伏（曲折）を繰り返しながら前後方向へ延びている。ラチス筋２６ａ，２６ｂは、上端筋２４の側に位置する上端凸部２７と、金属デッキ１１の上面１６の側に位置する下端凹部２９と、上端凸部２７および下端凹部２９の間に延びる中間部２８とを有する。
【００９１】
一対のラチス筋２６ａ，２６ｂは、上端筋２４を挟んで横方向へ対称型に配置されている。ラチス筋２６ａ，２６ｂは、金属デッキ１１に対して所定角度で傾斜し、その上端凸部２７から下端凹部２９に向かって横方向外方へ末広がりになっている。ラチス筋２６ａ，２６ｂの上端凸部２７は、上下方向上方へ向かって凸となるように略逆Ｖ字状に折り曲げられている。上端凸部２７は、上端筋２４の周面に当接し、上端凸部２７のうちの上端筋２４と交差する部分が上端筋２４にスポット溶接によって溶着（固定）されている。
【００９２】
ラチス筋２６ａ，２６ｂの中間部２８は、下端筋２５ａ，２５ｂの外側に位置し、中間部２８のうちの下端筋２５ａ，２５ｂと交差する部分が下端筋２５ａ，２５ｂにスポット溶接によって溶着（固定）されている。ラチス筋２６ａ，２６ｂの下端凹部２９は、上下方向下方へ向かって凹となるように略Ｖ字状に折り曲げられている。ラチス筋２６ａ，２６ｂの下端凹部２９は、その底部分３０が溶接凸部１８ａ，１８ｂの内側であって溶接凸部１８ａ，１８ｂの直近に隣接している。下端凹部２９の底部分３０は、金属デッキ１１の上面１６に当接している。底部分３０は、固定筋１３の曲率と略同一の曲率、または、固定筋１３の曲率よりもわずかに大きな曲率を有する。上端筋２４とラチス筋２６ａ，２６ｂの上端凸部２７とのスポット溶接や下端筋２５ａ，２５ｂとラチス筋２６ａ，２６ｂの中間部２８とのスポット溶接は、図１の鉄筋トラス１２のそれらと同一である。
【００９３】
鉄筋トラス１２を一対の溶接凸部１８ａ，１８ｂの間に配置すると、ラチス筋２６ａ，２６ｂの下端凹部２９の底部分３０がそれら溶接凸部１８ａ，１８ｂの側部分の下端に当接するから、鉄筋トラス１２の横方向の位置決めが容易であり、横方向の離間寸法を計りながら鉄筋トラス１２を金属デッキ１１の上面１６に配置する必要はなく、デッキ１１の上面１６において鉄筋トラス１２を横方向へ所定の間隔で離間並行させることができ、鉄筋トラス１２が横方向へ整然と並んだデッキプレート構造物１０Ｃを簡単に組み立てることができる。
【００９４】
固定筋１３は、ラチス筋２６ａ，２６ｂの下端凹部２９の上方へ凸となる押さえ凸部３１と、押さえ凸部３１を除いた残余部３２とを有し、金属デッキ１１の上面１６に位置して横方向へ延びている。押さえ凸部３１は、上方へ延びる一対の第１および第２起立部分３３ａ，３３ｂと、それら起立部分３３ａ，３３ｂの間に延びていてそれらラチス筋２６ａ，２６ｂの下端凹部２９に跨る水平部分３４とを有し、水平部分３４が下端凹２９部の底部分３０の上に配置されている。押さえ凸部３１は、前後方向前方と前後方向後方とのいずれか一方に傾倒しつつ下端凹部２９に当接している。残余部３２は、押さえ凸部３１の間に位置して横方向へ直状に延びている。金属デッキ１１の他方の側縁部１４ｂであって第２フック２３近傍に延びる残余部３２は、溶接凸部１８ａ，１８ｂから金属デッキ１１の上面１６に向かって下方へ折り曲げられて下り勾配に傾斜している。それら起立部分３３ａ，３３ｂの高さ寸法Ｌ３は、図１のデッキプレート構造物１０Ａのそれと同一である。
【００９５】
固定筋１３の残余部３２を溶接凸部１８ａ，１８ｂにスポット溶接する前において、固定筋１３の押さえ凸部３１を下端凹部２９の底部分３０の上に配置すると、押さえ凸部３１（第１および第２起立部分３３ａ，３３ｂ）が底部分３０において前後方向前方または前後方向後方のいずれか一方に倒れ込み、押さえ凸部３１が底部分３０に位置決めされるとともに、固定筋１３の残余部３２の周面が金属デッキ１１に作られた溶接凸部１８ａ，１８ｂの頂部分２０の溶接突起２１に載置される。固定筋１３の残余部３２は、溶接凸部１８ａ，１８ｂの頂部分に２０スポット溶接によって溶着（固定）されている。固定筋１３の残余部３２と溶接凸部１８ａ，１８ｂの頂部分２０とを溶接すると、それらラチス筋２６ａ，２６ｂの下端凹部２９が金属デッキ１１の上面１６と固定筋１３の押さえ凸部３１とに挟まれ、それらラチス筋２６ａ，２６ｂ（鉄筋トラス１２）がデッキ１１の上面１６に強固に固定される。固定筋１３の残余部３２と溶接凸部２６ａ，２６ｂの頂部分２０とのスポット溶接は、図１のデッキプレート構造物１０Ａのそれと同一である。
【００９６】
デッキプレート構造物１０Ｃでは、ラチス筋２６ａ，２６ｂの直径Ｌ１が溶接凸部１８ａ，１８ｂ（両側部分１９）の金属デッキ１１の上面１６からの高さ寸法Ｌ２と略同一またはわずかに大きいから、固定筋１３の押さえ凸部３１をそれらラチス筋２６ａ，２６ｂの下端凹部２９の底部分３０の上に配置したときに、固定筋１３が横方向へ動いたとしても、押さえ凸部３１の起立部分３３ａ，３３ｂがラチス筋２６ａ，２６ｂの下端凹部２９の周面に当接し、固定筋１３のそれ以上の動きが阻止され、固定筋１３の押さえ凸部３１が下端凹部２９の底部分３０に位置決めされるとともに、固定筋１３の残余部３２が溶接凸部１８ａ，１８ｂの頂部分２０に位置決めされる。ラチス筋２６ａ，２６ｂの直径Ｌ１および溶接凸部１６（両側部分１９）の金属デッキ１１の上面１６からの高さ寸法Ｌ２は、図１のデッキプレート構造物１０Ａのそれらと同一である。
【００９７】
このデッキプレート構造物１０Ｃを使用したスラブの構築手順は、図１のデッキプレート構造物１０Ａを使用したスラブのそれと同一である。なお、コンクリートの打設時やデッキプレート構造物１０Ｃの建築物の横梁間への配置時に、デッキプレート構造物１０Ｃの上方から下方に向かって荷重がかかり、ラチス筋２６ａ，２６ｂの下端凹部２９が横方向外方へ移動しようとしても、下端凹部２９が押さえ凸部３１の第１起立部分３３ａに衝突し、第１起立部分３３ａによって下端凹部２９のそれ以上の移動が阻止される。また、コンクリートの打設時やデッキプレート構造物１０Ｃの建築物の横梁間への配置時に、デッキプレート構造物１０Ｃに横方向内方への荷重がかかり、ラチス筋２６ａ，２６ｂの下端凹部２９が横方向内方へ移動しようとしても、下端凹部２９が押さえ凸部３１の第２起立部分３３ｂに衝突し、第２起立部分３３ｂによって下端凹部２９のそれ以上の移動が阻止される。
【００９８】
デッキプレート構造物１０Ｃは、固定筋１３の押さえ凸部３１が下端凹部２９の底部分３０に位置決めされるから、ラチス筋２６ａ，２６ｂに対する固定筋１３の位置決めを別途行う必要はなく、固定筋１３の残余部３２を溶接凸部１８ａ，１８ｂの頂部分２０に確実に溶接固定することができる。デッキプレート構造物１０Ｃは、それら下端筋２５ａ，２５ｂがラチス筋２６ａ，２６ｂの内側であって溶接凸部１８ａ，１８ｂの内側に位置しているから、下端筋２５ａ，２５ｂが電極の邪魔になることはなく、それら電極によって固定筋１３と溶接凸部１８ａ，１８ｂとを確実に溶接固定することができる。
【００９９】
デッキプレート構造物１０Ｃでは、固定筋１３の残余部３２が溶接凸部１８ａ，１８ｂの頂部分２０に当接し、残余部３２を頂部分２０に確実に溶接固定することができるから、それらラチス筋２６ａ，２６ｂの下端凹部２９を金属デッキ１１の上面１６と固定筋１３の押さえ凸部３１とで挟み込むことができ、ラチス筋２６ａ，２６ｂ（鉄筋トラス１２）をデッキ１１の上面１６に強固に固定することができる。したがって、鉄筋トラス１２と金属デッキ１１との固定が不用意に解除されることはない。
【０１００】
ボイド載置筋３６は、下端筋２５ａ，２５ｂの上に載置され、前後方向へ所定寸法離間して横方向へ延びている。ボイド載置筋３６は、金属製の締結線（図示せず）によって下端筋２５ａ，２５ｂに連結されている。それらボイド３５は、隣接する鉄筋トラス１２の間に配置され、前後方向へ延びている。ボイド３５は、金属板から作られた中空筒状の管材である。それらボイド３５は、鉄筋トラス１２の間に延びるボイド載置筋３６の上に載置された状態で、所定の固定手段（図示せず）によってデッキプレート構造物１０Ｃに固定されている。なお、ボイド３５として、管材の他に、発泡体（硬質ウレタンフォーム、フェノールフォーム、ビーズ法ポリスチレンフォーム）を使用することもできる。
【０１０１】
デッキプレート構造物１０Ｃは、ラチス筋２６ａ，２６ｂの下端凹部２９が金属デッキ１１の上面１６とそれら固定筋１３とに挟まれ、それによってラチス筋２６ａ，２６ｂがデッキ１１の上面１６に強固に固定されるから、鉄筋トラス１２をデッキ１１の上面１６に確実に固定することができ、デッキ１１と鉄筋トラス１２との固定が不用意に解除されることはなく、デッキプレート構造物１０Ｃにコンクリートが打設されたときに、コンクリートと金属デッキ１１や鉄筋トラス１２とが鉄筋コンクリート構造を形成し、コンクリートに曲げ引張力や曲げ圧縮力、せん断力が作用したとしても、それらの力によってコンクリートにクラックが発生することはなく、デッキプレート構造物１０Ｃを利用して十分な強度を有するスラブを構築することができる。
【０１０２】
デッキプレート構造物１０Ｃは、固定筋１３の残余部３２がラチス筋２６ａ，２６ｂの下端凹部２９の直近に隣接する溶接凸部１８ａ，１８ｂに溶接固定されるから、一対の溶接凸部１８ａ，１８ｂの間に延びる固定筋１３の横方向の寸法を最小限になり、それによってそれらラチス筋２６ａ，２６ｂの下端凹部２９を押さえ凸部３１によって金属デッキ１１の上面１６に緩みなくしっかりと固定することができ、鉄筋トラス１２をデッキ１１の上面１６に緩みなくしっかりと固定することができる。
【０１０３】
デッキプレート構造物１０Ｃは、固定筋１３の残余部３２が金属デッキ１１に作られた溶接凸部１８ａ，１８ｂに溶接され、ラチス筋２６ａ，２６ｂの下端凹部２９がデッキ１１の上面１６に当接するだけであり、下端凹部２９がデッキ１１に直接溶接されることはないから、デッキ１１の美観を損なうことがないことはもちろん、デッキ１１の下面１７に溶接跡が生じることはなく、デッキ１１の下面１７における錆の発生を防ぐことができる。デッキプレート構造物１０Ｃは、第２フック２３近傍に延びる固定筋１３の残余部３２が溶接凸部１８ａ，１８ｂから金属デッキ１１の上面１６に向かって下方へ折り曲げられて下り勾配に傾斜しているから、残余部３２がそれらフック２２，２３の係合の邪魔になることはなく、それらフック２２，２３をスムースに係合させることができ、複数のデッキプレート構造物１０Ｃを横方向へ繋げて所定面積のデッキプレート構造物１０Ｃの集合体を作ることができる。
【０１０４】
デッキプレート構造物１０Ｃは、コンクリートの替わりとしてボイド３５が利用され、デッキプレート構造物１０Ｃの全域にコンクリートを打設する必要はなく、ボイド３５の体積分のコンクリートを省くことができるから、その分の手間と時間とを短縮することができるとともに、スラブ構築のコストを下げることができる。デッキプレート構造物１０Ｃは、それにコンクリートのみを打設する場合と比較し、ボイド３５の体積分のコンクリートを省くことができるから、スラブの軽量化を図ることができ、鉄骨建造物や鉄筋コンクリート建造物にかかる荷重を低減することができる。
【符号の説明】
【０１０５】
１０Ａ  デッキプレート構造物
１０Ｂ  デッキプレート構造物
１０Ｃ  デッキプレート構造物
１１    金属デッキ
１２    鉄筋トラス
１３    固定筋
１４ａ，ｂ  両側縁部
１５ａ，ｂ  両端縁部
１６    上面
１７    下面
１８ａ，ｂ  溶接凸部
１９    両側部分
２０    頂部分
２１    溶接突起
２２    第１フック（第１係合部）
２３    第２フック（第２係合部）
２４    上端筋
２５ａ，ｂ  下端筋
２６ａ，ｂ  ラチス筋
２７    上端凸部
２８    中間部
２９    下端凹部
３０    底部分
３１    押さえ凸部
３２    残余部
３３ａ  第１起立部分（起立部分）
３３ｂ  第２起立部分（起立部分）
３４    水平部分
３５    ボイド
３６    ボイド載置筋
Ｌ１    直径
Ｌ２    高さ寸法
Ｌ３    高さ寸法
【図１】
2015031137.tif 000003
【図２】
2015031137.tif 000004
【図３】
2015031137.tif 000005
【図４】
2015031137.tif 000006
【図５】
2015031137.tif 000007
【図６】
2015031137.tif 000008
【図７】
2015031137.tif 000009
【図８】
2015031137.tif 000010
【図９】
2015031137.tif 000011
【図１０】
2015031137.tif 000012
【図１１】
2015031137.tif 000013
【図１２】
2015031137.tif 000014
【図１３】
2015031137.tif 000015
【図１４】
2015031137.tif 000016
【図１５】
2015031137.tif 000017
【図１６】
2015031137.tif 000018